(57)【特許請求の範囲】
【請求項１】
カード状媒体の媒体挿入部に、仕様規定媒体の剛性を利用して挿入可能に開口するゲートを設け、仕様規定媒体より薄い媒体の剛性ではゲートが有効に開口しないようにしたことを特徴とする媒体処理装置。
【請求項２】
カード状媒体の媒体挿入部に、仕様規定媒体の剛性を利用して挿入可能に開口するゲートを設けると共にそのゲート部に仕様規定媒体用の搬送路と仕様規定外媒体用の搬送路を配置し、挿入され媒体の剛性によってそれぞれの搬送路に導かれることを特徴とする媒体処理装置。
【請求項３】
請求項１もしくは請求項２において、ゲートを可撓性を有する弾性部材で構成したことを特徴とする媒体処理装置。
【請求項４】
請求項１もしくは請求項２において、ゲートを支点を有する回転体で構成したことを特徴とする媒体処理装置。
【請求項５】
請求項１もしくは請求項２において、搬送路中にシャッタを設け、媒体を突き当てて整位することを特徴とする媒体処理装置。
【請求項６】
請求項２において、仕様規定外媒体用の搬送路に連続して媒体を回収する回収箱を設けたことを特徴とする媒体処理装置。
【請求項７】
請求項２において、仕様規定外媒体用の搬送路を介して顧客に返却することを特徴とする媒体処理装置。
【発明の詳細な説明】
【技術分野】
【０００１】
本発明は、自動取引装置等のカード状の媒体の挿入機能をもつ媒体処理装置に関する。
【背景技術】
【０００２】
従来のこの種の装置の媒体挿入部は、媒体の選別機能はなく、所定の媒体の厚さに近いものは取り込むようになっている（例えば、特許文献１参照）。
【特許文献１】特開２００５−２６６８６４公報（図２）
【発明の開示】
【発明が解決しようとする課題】
【０００３】
しかしながら、上述した従来の技術においては、仕様規定の媒体の厚さ以外の媒体が挿入されたときにも装置内に取り込み、搬送途中でジャム等の不具合が生じてしまい復旧に手間取るという問題がある。
本発明は、このような問題を解決するもので、仕様規定外媒体において、規定より厚い媒体については、固定厚のゲート等を挿入口に設けること等により容易に取り込み防止機能とすることが実現可能であるために、仕様規定より薄い媒体が挿入された場合についての不具合を解決することを課題とする。
【課題を解決するための手段】
【０００４】
そこで本発明は、カード状媒体の媒体挿入部に、仕様規定媒体の剛性を利用して挿入可能に開口するゲートを設け、仕様規定媒体より薄い媒体の剛性ではゲートが有効に開口しないようにしたことを特徴とする。
また、カード状媒体の媒体挿入部に、仕様規定媒体の剛性を利用して開口するゲートを設けると共にそのゲート部に仕様規定媒体用の搬送路と仕様規定外媒体用の搬送路を配置し、挿入される媒体の剛性によってそれぞれの搬送路に導かれることを特徴とする。
【発明の効果】
【０００５】
このようにした本発明は、媒体挿入口に仕様規定媒体で作動するゲートを設けることにより、仕様規定外の薄い媒体の装置内への取り込みを防止することが可能となるという効果が得られる。
【発明を実施するための最良の形態】
【０００６】
以下、図面を参照して本発明の実施例を説明する。
【実施例１】
【０００７】
図１は平面説明図、図２は側面説明図である。
図において、１は媒体挿入口、２は上部搬送ガイド、３は下部搬送ガイド、４は第１の媒体検出センサ右、５は第１の媒体検出センサ左、８は第１の発送ローラ、９は第１の搬送プレスローラ、１１は第２の媒体検出センサ、１３は第２の搬送ローラ、１４は第２の搬送プレスローラである。
【０００８】
また、６はゲート部であり、本発明の根幹となす構成部であり、第２の媒体検出センサ１１の手前に配置される。
図３はそのゲート部６の詳細を示す側面説明図、図４は正面説明図である。図において、６１はゲートであり、シート状の弾性体よりなる。６２はゲート６１を保持する保持部であり、装置本体に固定されている。
【０００９】
前記ゲート６１は、可撓性を有する部材であり、装置仕様で規定する媒体の厚さによる媒体の剛性に合わせてその材質、厚み等を設定することにより挿入された規定厚の媒体に対しては進行方向を妨げずに開口し、規定より薄く剛性の低い媒体に対しては媒体の進行方向を変化させるかまたは妨げるという機能をもつ部材である。
以下にゲート部６の作用を図を用いて説明する。
【００１０】
図５において、１５は装置仕様で規定する媒体であり、その媒体１５を挿入した場合には、ゲート６１は媒体１５の剛性により６１ａのように撓むため、媒体１５は、挿入した進行方向に妨げられることなく開口し、真っ直ぐに挿入することができる。
図６、図７において、媒体１５ａは、仕様で規定する媒体厚より薄い媒体であり、その媒体の剛性がゲート６１に対して弱いため、ゲート６１は６１ｂのように撓み量が少ない。その結果、媒体１５ａは、図示する如く、進行方向を変化させられるか進行が妨げられてそれ以上進行できない状態になる。
【００１１】
そこで、媒体処理装置における媒体の動作を説明する。
図１３の平面説明図および図１４の側面説明図は、仕様で規定された厚さの媒体１５の動作説明図であり、図１５の平面説明図および図１６の側面説明図は、仕様で規定された厚さより薄い媒体１５ａの動作説明図である。
仕様で規定された厚さの媒体の挿入取り込み動作について図を用いて説明する。
【００１２】
媒体挿入口１から媒体１５が矢印方向から挿入される。この挿入の際、ゲート６１は媒体１５の剛性（こし）より弱く設定されているため、媒体１５により図１４に示す如く、撓んだ状態となって開口し、媒体１５は進行方向を妨げられることなく搬送ガイドに沿って挿入される。
媒体１５が第１の検出センサ４、５を通過すると、搬送ローラ８を回転させ、さらに第２の媒体検出センサ１１がＯＮする位置まで挿入されると、第1の媒体検出センサ４、５および第２の媒体検出センサ１１がＯＮ状態となり、この条件をもって、搬送ローラ１３を矢印方向へ回転させて媒体１５の装置内への取り込み動作制御が開始する。つまり、媒体１５を挿入すると、回転している搬送ローラ８により媒体が入り込み、つづいて媒体は搬送ローラ１３により搬送されて装置内に取り込まれ、取り込み動作が正常に終了する。
【００１３】
つぎに、仕様規定外の薄い媒体が挿入された場合の動作について図を用いて説明する。
媒体挿入口1から仕様規定外の薄い媒体１５ａが挿入されると、媒体１５ａは、媒体の剛性（こし）が弱いため、図示する如く、ゲート６１を自身の剛性により撓ませることができず、進行方向が妨げられる。さらに、媒体を奥へ挿入しようとしても、進行を妨げられているため、媒体先端が座屈してしまい、媒体先端は第２の媒体検出センサ１１がＯＮする位置まで到達しない。
【００１４】
制御上媒体の取り込み開始条件を媒体検出センサ４、５、１１すべてがＯＮとしているため、この場合は取り込み動作を開始しない。よって、媒体１５ａが装置内に取り込まれることはなく、操作者はそれを媒体挿入口１から引き抜くことができる。
以上の如く、実施例１によると、媒体挿入口にゲートを設けることにより、仕様規定外の薄い媒体の装置内への取り込みを防止することが可能となり、媒体厚を検知し、例えばシャッタを動作させる等の複雑な機構および制御手段を設けることがなく、しかも信頼性の高い装置となる。
【００１５】
なお、ゲート部６は上記構成に限るものではなく、例として、他の構成を図８の側面説明図、図９の正面説明図で説明する。
図において、６１はゲートであり、剛性のある板状体である。
６４はゲート６１の回転支点、６５は支点シャフト、６６は支点シャフトの保持部であり、装置に固定されている。
【００１６】
６８はゲート６１のリミッタ、６７は引張りスプリングであり、ゲート６１をリミッタ６８に押し付けて初期位置を決める機能を持つ。
装置仕様で規定する仕様媒体の厚さによる媒体１５の剛性に合わせて引張りスプリング６７の強さを設定することにより、規定厚の媒体１５に対しては進行方向は妨げられずに挿入され、規定より薄く、剛性の低い媒体１５ａに対しては媒体の進行方向を変化させるかまたは妨げるという機能をもつ。
【００１７】
上記構成のゲート部６の作用を図を用いて説明する。
仕様規定の媒体１５を挿入した場合には、図１０に示す如く、ゲート６１は、媒体１５の剛性により引張りスプリング６７が伸び、ゲート６１は６１ａのように回転して逃げるために開口し、媒体１５は進入した進行方向を妨げられることなく、真っ直ぐに挿入することができる。
【００１８】
図１１、図１２において、媒体１５ａは、仕様で規定する媒体厚より薄い媒体であり、その媒体の剛性がゲート６１を押し退けるほどの強さがないため、ゲート６１は６１ｂのように回転が少ない。その結果、媒体１５ａは、図示する如く、進行方向を変化させられるか進行が妨げられてそれ以上進行できない状態になる。
このような構成のゲート部６は以下の各実施例においても利用可能であるが、各実施例では説明は省略する。
【実施例２】
【００１９】
本実施例は、上記実施例1に対し、取り込み時の搬送スキューを防止してより安定した取り込み動作を実現する例である。
図１７は平面説明図、図１８は側面説明図であり、図において、６はゲート部、９は第１の搬送プレスローラで、ここでは、媒体１５をクランプする位置と媒体１５を開放する位置に図示しない手段で動作する機構となっている。
【００２０】
１２は取り込まれた媒体１５が搬送される搬送路に設けたシャッタであり、搬送路を閉じる位置と搬送路を開放する位置に図示しない手段で動作する機構となっている。
１１は第２の媒体検出センサであり、第1の搬送ローラ８とシャッタ１２の間に設置してある。
上記以外の構成は実施例１と同様である。
【００２１】
以上の構成の作用を図を用いて説明する。
図１９の平面説明図および図２０の側面説明図は、仕様で規定された厚さの媒体１５の動作説明図であり、図２１の平面説明図および図２２の側面説明図は、仕様で規定された厚さより薄い媒体１５ａの動作説明図である。
仕様で規定された厚さの媒体の挿入取り込み動作について図を用いて説明する。
【００２２】
媒体挿入口１から媒体１５が矢印方向に挿入される。この挿入の際、ゲート６１は媒体１５の剛性（こし）より弱く設定されているため、媒体１５により図２０に示す如く、撓んだ状態となって開口し、媒体１５は進行方向を妨げられることなく搬送ガイドに沿って挿入される。
媒体１５がシャッタ１２に突き当たるまで挿入されると、第２の媒体検出センサ１１がＯＮし、第1の媒体検出センサ４、５および第２の媒体検出センサ１１がＯＮ状態となり、この条件をもって、媒体１５の装置内への取り込み動作制御が開始する。
【００２３】
まず、シャッタ１２が図示しない手段で１２ａの位置まで矢印方向に開き、搬送路が開放される。つぎに、第１の搬送プレスローラ９が図示しない手段で矢印方向に移動し、媒体１５をクランプする位置９ａとなる。このシャッタ１２と搬送プレスローラ９の動作は、連動した機構により同時に動作してもよい。
つづいて、第１、第２の搬送ローラ８、１３がそれぞれ矢印方向に回転し、媒体が搬送され装置内に取り込まれ、取り込み動作が正常に完了する。
【００２４】
つぎに、仕様規定外の薄い媒体が挿入された場合の動作について図を用いて説明する。
媒体挿入口1から仕様規定外の薄い媒体１５ａが挿入されると、媒体１５ａは、媒体の剛性（こし）が弱いため、図２１、図２２に示す如く、ゲート６１を自身の剛性により撓ませることができず、進行方向が妨げられる。さらに、媒体を奥へ挿入しようとしても、進行を妨げられているため、媒体先端が座屈していくだけで、媒体先端は第２の媒体検出センサ１１がＯＮする位置まで到達しない。
【００２５】
制御上媒体の取り込み開始条件を媒体検出センサ４、５、１１すべてがＯＮとしているため、この場合は取り込み動作を開始しない。よって、媒体１５ａが装置内に取り込まれることはなく、操作者はそれを媒体挿入口１から引き抜くことができる。
以上の如く、実施例２によると、実施例１の効果に加えて、仕様に規定された媒体を挿入する場合、開閉するシャッタおよびクランプ動作をする搬送プレスローラおよびそのシャッタの直前に媒体検出センサを配置したことにより、媒体挿入後の搬送スキューを抑えることができ、より信頼性の高い装置となる。
【実施例３】
【００２６】
本実施例は、上記実施例２に対し、規定外の厚さの媒体が挿入されたことを検知する機能を付加したものである。
図２３は平面説明図、図２４は側面説明図であり、図において、２５は第２の搬送路であり、規定外の媒体を案内するものである。２６はその搬送路２５の終端である。２７は第３の媒体検出センサである。
【００２７】
上記以外の構成は実施例１および実施例２と同様である
以上の構成の作用を図を用いて説明する。
仕様で規定された媒体の挿入、取り込み動作は図２５の平面説明図および図２６の側面説明図に示す如く、実施例２と同様であり、説明は省略する。
つぎに、仕様規定外の厚さの媒体１５ａが挿入された場合について、図２７の平面説明図および図２８の側面説明図を用いて説明する。
【００２８】
媒体挿入口1から仕様規定外の薄い媒体１５ａが挿入されると、媒体１５ａは、媒体の剛性（こし）が弱いため、図示する如く、ゲート６１を自身の剛性により撓ませることができず、媒体１５ａの進行方向が変わり、搬送路２５に案内される。さらに、媒体を奥へ挿入しようとしても、媒体先端が搬送路終端２６に衝突するため、それ以上は挿入しない。
【００２９】
制御上媒体の取り込み開始条件を媒体検出センサ４、５、１１すべてがＯＮとしているため、搬送路２５に案内された媒体１５ａが第２の媒体検出センサ１１をＯＮすることがないため、取り込み動作を開始しない。よって、媒体１５ａが装置内に取り込まれることはなく、操作者はそれを媒体挿入口１から引き抜くことができる。
また、第３の媒体検出センサ２７で媒体１５ａを検出しており、規定外媒体が挿入されたことが検知可能であるために操作者に規定外媒体であることの報知が可能である。
【００３０】
以上の如く、実施例３によると、上記各実施例の効果に加えて、規定外媒体を案内する搬送路およびその媒体終端と媒体の検出センサを設けたことにより、規定外媒体の取り込み防止機能に加え、規定外媒体を挿入したことを操作者に伝えることが可能となり、操作ミスを防ぐことができる。
【実施例４】
【００３１】
本実施例は、仕様規定の厚さの媒体と、この媒体より厚さが薄く剛性の弱い仕様規定外の媒体を、それぞれの媒体の剛性に応じて各々の媒体を振り分けて収納するものである。
図２９は平面説明図、図３０は側面説明図であり、図において、３１は第３の搬送路であり、仕様規定外の媒体を案内するものである。３２はその搬送路３１にある第３の搬送ローラ、３３は第３の搬送プレスローラ、３４は第３の媒体検出センサである。３０は第２の媒体を収納する回収箱である。
【００３２】
上記以外の構成は実施例１および実施例２と同様である。
以上の構成の作用を図を用いて説明する。
図３１の平面説明図および図３２の側面説明図は、仕様規定の厚さの媒体１５の動作を示し、１５は所定の剛性を有する媒体である。図３３の平面説明図および図３４の側面説明図は、仕様規定外の厚さの媒体１５ａの動作を示し、媒体１５ａは仕様規定の媒体１５に対して剛性の弱い媒体である。
【００３３】
以上の構成の作用を図を用いて説明する。
仕様規定の媒体１５の挿入、取り込み動作は図３１の平面説明図および図３２の側面説明図に示す如く、実施例２と同様であり、説明は省略する。
つぎに、仕様規定外の媒体１５ａが挿入された場合について、図３３の平面説明図および図３４の側面説明図を用いて説明する。
【００３４】
媒体挿入口1から仕様規定外の媒体１５ａが挿入されると、媒体１５ａは、媒体の剛性（こし）が弱いため、図示する如く、ゲート６１を自身の剛性により撓ませることができず、媒体１５ａの進行方向が変わり、搬送路３１に案内される。第３の媒体検出センサ３４がＯＮする位置まで挿入された時点で、第３の搬送ローラ３２を矢印方向に回転させる制御を開始する。さらに、搬送ローラ３２まで挿入されると、搬送ローラ３２により媒体１５ａは回収箱３０に搬送され、収納される。媒体１５ａの後端が媒体検出センサ３４を通過した後、一定時間経過後、第３の搬送ローラ３２の回転を停止させて仕様規定外の媒体１５ａの回収箱３０への取り込みが完了する。
【００３５】
以上のように実施例４によると、実施例１および実施例２の効果に加え、剛性の弱い第２の媒体を搬送するための搬送ローラ、搬送路、媒体検出センサ、媒体を収納する回収箱を設けたことにより、規定された厚さの媒体と規定外の厚さの媒体とを振り分けて収納することを可能とする媒体振り分け機能を実施することができる。
【実施例５】
【００３６】
本実施例は、実施例１および実施例２で仕様規定外の薄い媒体を無理に挿入しようとした際に、媒体の先端が座屈変形してその媒体が使えなくなる可能性があるという課題を解決するものである。
図３５は平面説明図、図３６は側面説明図であり、図において、４１は第４の搬送路であり、仕様規定外の媒体を装置外まで案内するものである。４２はその搬送路４１にある第４の搬送ローラ、４３は第４の搬送プレスローラ、４４は第４の媒体検出センサである。４５は規定外の媒体を排出する排出口である。
【００３７】
上記以外の構成は実施例１および実施例２と同様である
以上の構成の作用を図を用いて説明する。
仕様で規定された媒体の挿入、取り込み動作は図３７の平面説明図および図３８の側面説明図に示す如く、実施例２と同様であり、説明は省略する。
つぎに、仕様規定外の厚さの媒体１５ａが挿入された場合について、図３９の平面説明図および図４０の側面説明図を用いて説明する。
【００３８】
媒体挿入口1から仕様規定外の薄い媒体１５ａが挿入されると、媒体１５ａは、媒体の剛性（こし）が弱いため、図示する如く、ゲート６１を自身の剛性により撓ませることができず、媒体１５ａの進行方向が変わり、搬送路４１に案内される。
第４の媒体検出センサ４４がＯＮする位置まで挿入された時点で第４の搬送ローラー４２を矢印方向に回転させる制御を開始する。さらに、搬送ローラ４２まで挿入されると搬送ローラ４２により媒体１５ａは、搬送ガイドに沿って搬送され、媒体先端は排出口４５から装置外部に出てくる。媒体１５ａの後端が媒体検出センサ４４を通過した後、搬送ローラ４２の回転は停止して制御を終了し、仕様規定外の媒体１５ａを挿入操作者に返却する。
【００３９】
以上のように実施例５によると、実施例１および実施例２の効果に加え、剛性の弱い規定外の媒体を装置外に搬送するための搬送ローラ、搬送路、媒体検出センサ、排出口を設けたことにより、仕様規定の媒体は装置内に取り込み、仕様規定外の薄い媒体は挿入操作者に返却するという機能を有し、これにより、実施例１および実施例２で仕様規定外の薄い媒体を無理に挿入しようとした際に、媒体の先端が座屈変形してその媒体が使えなくなるということがなくなる。
【００４０】
以上説明した各実施例は、各ユニットを一体の筐体に収納する装置構成としたが、各ユニットを個別筐体に収納し、券を発行する装置と券から所定の情報を読み取る装置とがそれぞれ独立した各種機関の窓口業務等で使用するシステムで利用が可能である。  
上記各実施例において、媒体としては例えば、航空券を取り扱う装置、交通機関として電車やバスの乗車券、イベント入場券や前売り券等を取り扱う発券機および読み取り機に適用することができる。
【００４１】
利用の形態
ここで、このような構成の媒体処理装置を利用した航空券発行装置について説明する。
図４１は本実施例の媒体処理装置を用いた券処理システムの説明図、図４２は媒体処理装置内の発券部の構成を示す説明図である。
図４１において、券処理システム１０１は、券として航空券を発行する媒体処理装置１０２、空港の搭乗用ゲートに設けられ、航空券の磁気部に書き込まれている情報を読み取る読取装置１０３およびこれら媒体処理装置１０２と読取装置１０３とに接続され、それらをそれぞれ制御する上位装置１０４とから構成されている。
【００４２】
このような券処理システム１０１においては、媒体処理装置１０２により発行された航空券を搭乗用ゲートにおいて、読取装置１０３に挿入し、該読取装置１０３で読み取った航空券情報が有効であると判断した場合、搭乗用ゲートが開くようになっている。このような構成の搭乗用ゲートには上記各実施例のゲート等の構成が組み込まれている。
媒体処理装置１０２は、装置全体を制御する制御部１０５、情報を表示する表示部とオペレータにより操作される操作部とから構成される操作表示部１０６、現金を受け入れ、その入金された現金を処理し、必要に応じて釣銭を出金する機能を備えた現金処理部１０７、航空券の裏面側に設けられた磁気部に対して磁気カードとして所定の情報を書き込みまた表面側に所定の情報の印字を行い発行する機能と外部から挿入された航空券に対して磁気部に書き込まれた情報の更新を行う機能を備えた発券部１０８および各種媒体（パスポート、ＱＲコード、磁気カード、ＩＣカード、携帯電話等）の読取機能を備えた媒体読取部１０９から構成されている。
【００４３】
また、読取装置１０３は、装置全体を制御する制御部１１０、情報を表示する表示部とオペレータにより操作される操作部よりなる操作表示部１１１および前記媒体処理装置１０２から発行された航空券を受け入れ、その航空券に書き込まれた情報を読み取り、その読み取った情報は制御部１１０へ送信し、読み取り後の航空券は装置外へ排出する機能を備えた磁気データ読取部１１２から構成されている。
【００４４】
上位装置１０４は、媒体処理装置１０２に対して航空券として必要な情報を送信する。
つぎに、発券部１０８について図４２を用いて説明する。
発券部１０８には、航空券を収納するホッパ部が複数、本実施例の説明では３個（第１のホッパ部１１３、第２のホッパ部１１４、第３のホッパ部１１５）設けてある。
発券部１０８の内部には、前記第１のホッパ部１１３、第２のホッパ部１１４、第３のホッパ部１１５に接続され、それら各ホッパ部から繰り出された航空券をそれぞれ排出口１１６へと導く第１の搬送路１１７が図示しないガイドにより形成されている。
【００４５】
第１の搬送路１１７には、第１のホッパ部１１３、第２のホッパ部１１４、第３のホッパ部１１５から媒体搬送方向下流に向かって、航空券の裏面側の磁気部に磁気データを書き込む磁気データ書き込みヘッド１１８、航空券の磁気部に書き込まれている磁気データを読み取る磁気データ読取ヘッド１１９、航空券の表面側に所定の情報を印字する印字ヘッド１２０、プラテン１２１およびインクリボン１２２から構成される印字部１２３が設けてある。
【００４６】
また、発券部１０８には、排出口１１６の上部に、航空券の挿入口１２４が形成されており、この挿入口１２４から印字部１２３の方向に向かって第1の搬送路１１７へとつながる第２の搬送路１２８が形成されている。さらに、第1の搬送路１１７と第２の搬送路１２８には図示しないローラ対が複数設けてあり、このローラ対の回転により航空券を搬送する。
【００４７】
図４１に示す読取装置１０３に設けてある磁気データ読取部１１２には、航空券を挿入する挿入口、航空券を装置外へ排出する排出口、航空券の磁気部に書き込まれている磁気データを読み取る磁気データ読取ヘッド、前記挿入口および排出口から磁気データ読取ヘッドへと接続された搬送路が設けてある。その搬送路には図示しない搬送ローラ対が複数設けてあり、この搬送ローラ対の回転により航空券を搬送する。このような構成の前記挿入口には上記各実施例のゲート等の構成が組み込まれている。
【００４８】
以下に動作を説明する。
媒体処理装置１０２の制御部１０５は、航空券の媒体読取部１０９に挿入された各種媒体（パスポート、ＱＲコード、磁気カード、ＩＣカード、携帯電話等）から読み取った識別番号（パスポート番号、会員ＩＤ、クレジットカード番号等）を上位装置１０４に送信する。
【００４９】
上位装置は、制御部１０５から受信した識別番号をもとに上位装置内の図示しないデータベース内から購入者の航空券の予約および事前購入の有無を検索し、検索結果を制御部１０５に送信し、制御部１０５は上位装置１０４からの購入者情報に基づいて航空券を発行するものとする。
なお、航空券発行時の操作表示部１０６、現金処理部１０７および発行部１０８の動作は、特開２００６−３１１８４と同様である。
【００５０】
また、媒体処理装置１０２の発券部１０８は、挿入口１２４から挿入された券の情報を読み取ってその情報に新たな情報を書き込み、情報の消去および書き換えをした後、新たな券に交換して発行するようになっている。
この場合、発券部１０８は、券を一時的に収納する一時スタッカ１２５を有し、前記挿入された券を前記一時スタッカ１２５内に集積して保管するようになっている。また、前記挿入された券を排出する場合には、いったん前記券を一時スタッカ１２５内に集積した後にその一時スタッカ１２５から取り出して搬送し、前記挿入口または該挿入口とは別の排出口から排出するようになっている。そのために、前記一時スタッカ１２５には取り出すべき券を集積された他の券と分離するための分離機構が配置されている。
【００５１】
また、発券部１０８は、新たに発行される券を収納するホッパ、エラーになった券や処理後に不要となった券を収納する回収スタッカ１２６等も有している。さらに、前記券の搬送路１１７には、券の磁気データの読み取りおよび書き込みを行う磁気エンコーダ部１３０が配置され、前記券の裏面に貼付された磁気ストライプ等の記録部に記録された磁気データの読み取りや書き込みを行うことができる。さらに、前記券の搬送路１１７には、印字部１２３が配置され、その印字部１２３によって前記券の表面に必要事項を印字された券を排出口から排出して発券する。
【図面の簡単な説明】
【００５２】
【図１】実施例１を示す平面説明図
【図２】同側面説明図
【図３】ゲートの側面説明図
【図４】同正面説明図
【図５】ゲートの作動状態を示す側面説明図
【図６】ゲートの作動状態を示す側面説明図
【図７】ゲートの作動状態を示す側面説明図
【図８】ゲートの他の構成例の側面説明図
【図９】同正面説明図
【図１０】ゲートの作動状態を示す側面説明図
【図１１】ゲートの作動状態を示す側面説明図
【図１２】ゲートの作動状態を示す側面説明図
【図１３】実施例１の作動状態を示す平面説明図
【図１４】作動状態を示す側面説明図
【図１５】作動状態を示す平面説明図
【図１６】作動状態を示す側面説明図
【図１７】実施例２を示す平面説明図
【図１８】同側面説明図
【図１９】作動状態を示す平面説明図
【図２０】作動状態を示す側面説明図
【図２１】作動状態を示す平面説明図
【図２２】作動状態を示す側面説明図
【図２３】実施例３を示す平面説明図
【図２４】同側面説明図
【図２５】作動状態を示す側面説明図
【図２６】作動状態を示す平面説明図
【図２７】作動状態を示す側面説明図
【図２８】作動状態を示す側面説明図
【図２９】実施例４を示す平面説明図
【図３０】同側面説明図
【図３１】作動状態を示す平面説明図
【図３２】作動状態を示す側面説明図
【図３３】作動状態を示す平面説明図
【図３４】作動状態を示す側面説明図
【図３５】実施例５を示す平面説明図
【図３６】同側面説明図
【図３７】作動状態を示す平面説明図
【図３８】作動状態を示す側面説明図
【図３９】作動状態を示す平面説明図
【図４０】作動状態を示す側面説明図
【図４１】券処理システムの説明図
【図４２】発券部の構成を示す説明図
【符号の説明】
【００５３】
１  媒体挿入口
２  上部搬送ガイド
３  下部搬送ガイド
４  第１の媒体検出センサ右
５  第１の媒体検出センサ左
６  ゲート部
６１  ゲート
２５  搬送路
２６  搬送路終端
９  第１の搬送プレスローラ
１１  第２の媒体検出センサ
１２  シャッタ
１３  第２の搬送ローラ
１４  第２の搬送プレスローラ
１５  仕様規定の媒体  
１５ａ  仕様規定外の媒体    
２５  第２の搬送路
２６  第２の搬送路の終端
２７  第３の媒体検出センサ
３０  回収箱
３１  第３の搬送路
３２  第３の搬送ローラ
３３  第３の搬送プレスローラ
３４  第３の媒体検出センサ
４１  第４の搬送路
４２  第４の搬送ローラ
４３  第４の搬送プレスローラ
４４  第４の媒体検出センサ
４５  排出口
【図１】
0005117863.tif 000002
【図２】
0005117863.tif 000003
【図３】
0005117863.tif 000004
【図４】
0005117863.tif 000005
【図５】
0005117863.tif 000006
【図６】
0005117863.tif 000007
【図７】
0005117863.tif 000008
【図８】
0005117863.tif 000009
【図９】
0005117863.tif 000010
【図１０】
0005117863.tif 000011
【図１１】
0005117863.tif 000012
【図１２】
0005117863.tif 000013
【図１３】
0005117863.tif 000014
【図１４】
0005117863.tif 000015
【図１５】
0005117863.tif 000016
【図１６】
0005117863.tif 000017
【図１７】
0005117863.tif 000018
【図１８】
0005117863.tif 000019
【図１９】
0005117863.tif 000020
【図２０】
0005117863.tif 000021
【図２１】
0005117863.tif 000022
【図２２】
0005117863.tif 000023
【図２３】
0005117863.tif 000024
【図２４】
0005117863.tif 000025
【図２５】
0005117863.tif 000026
【図２６】
0005117863.tif 000027
【図２７】
0005117863.tif 000028
【図２８】
0005117863.tif 000029
【図２９】
0005117863.tif 000030
【図３０】
0005117863.tif 000031
【図３１】
0005117863.tif 000032
【図３２】
0005117863.tif 000033
【図３３】
0005117863.tif 000034
【図３４】
0005117863.tif 000035
【図３５】
0005117863.tif 000036
【図３６】
0005117863.tif 000037
【図３７】
0005117863.tif 000038
【図３８】
0005117863.tif 000039
【図３９】
0005117863.tif 000040
【図４０】
0005117863.tif 000041
【図４１】
0005117863.tif 000042
【図４２】
0005117863.tif 000043